(57)【特許請求の範囲】
【請求項１】
圧縮機、４方弁、室外側熱交換器、絞り手段、室内側熱交換器の順に環状に接続し、かつ前記室外側熱交換器に室外送風機、前記室内側熱交換器に室内送風機を設け、前記４方弁により冷房運転と暖房運転に切換える冷凍サイクルを具備した空気調和機であって、少なくとも冷房、暖房の運転モードおよび運転停止を指示する運転モード設定手段と、前記運転モード設定手段の指示により、前記冷凍サイクルを制御して前記運転モードを実行する制御手段とを設け、前記運転モード設定手段は前記空気調和機の室内機送風回路を乾燥させるため乾燥運転モードを有し、前記制御手段は前記乾燥運転モード時に使用する前記室内送風機による送風乾燥運転と前記冷凍サイクルを暖房に切換えて行う暖房乾燥運転の制御を有し、かつ前記乾燥運転モードの指示を受けた時に、空気調和機の運転状態を判定し、空気調和機が運転停止または送風運転中であれば暖房乾燥運転、次に送風乾燥運転を行い、あるいは冷房運転またはドライ運転中であれば、送風乾燥運転を先に行ってから、暖房乾燥運転、送風乾燥運転を行なうことを特徴とする空気調和機の制御方法。
【請求項２】
圧縮機、４方弁、室外側熱交換器、絞り手段、室内側熱交換器の順に環状に接続し、かつ前記室外側熱交換器に室外送風機、前記室内側熱交換器に室内送風機を設け、前記４方弁により冷房運転と暖房運転に切換える冷凍サイクルを具備した空気調和機であって、運転モードを設定する運転モード設定手段と、前記運転モード設定手段の指示により、前記冷凍サイクルを制御して前記運転モードを実行する制御手段とを設け、前記運転モード設定手段は前記空気調和機の室内機送風回路を乾燥させるための乾燥運転スイッチを有し、前記制御手段は前記乾燥運転スイッチの信号を受ける運転モード記憶手段と前記乾燥運転時に使用する前記室内送風機による送風乾燥運転の時間設定記憶手段と前記冷凍サイクルを暖房に切換えて行う暖房乾燥運転の時間設定記憶手段とを有し、かつ前記乾燥運転スイッチの信号と前記運転モード記憶手段と前記送風乾燥および暖房乾燥の運転時間設定記憶手段の信号により前記圧縮機と前記４方弁と前記室内送風機と前記室外送風機を制御するように構成し、さらに制御手段は前記乾燥運転の指示により、運転モード記憶手段が空気調和機の運転停止または送風運転の場合は、設定された時間の暖房乾燥運転を行い、前記運転モード記憶手段が空気調和機の冷房運転またはドライ運転の場合は第１の所定時間だけ送風乾燥運転を行った後、第２の所定時間だけ暖房乾燥運転と送風乾燥運転を行い、運転モード記憶手段が空気調和機の暖房運転の場合は、そのまま暖房運転を継続させるように制御することを特徴とする空気調和機の制御方法。
【請求項３】
空気調和機は冷媒の凝縮圧力を検知する凝縮圧力検知手段を設け、制御手段は凝縮圧力設定記憶手段を設け、かつ前記凝縮圧力検知手段による凝縮圧力設定記憶手段の信号に基づき前記室外送風機と前記圧縮機を制御するように構成し、暖房乾燥運転時において前記凝縮圧力検知手段の信号が前記凝縮圧力設定記憶手段の上限設定値を超えると前記室外送風機を停止し、前記凝縮圧力設定記憶手段の下限設定値を下回ると前記室外送風機の回転数を下げて前記室外送風機を再運転することを特徴とする請求項１または２記載の空気調和機の制御方法。
【請求項４】
空気調和機は冷凍サイクルの絞り手段をバイパスする２方弁と冷媒の凝縮圧力を検知する凝縮圧力検知手段を設け、制御手段は凝縮圧力設定記憶手段を設け、かつ前記凝縮圧力検知手段による凝縮圧力設定記憶手段の信号に基づき室外送風機と圧縮機および前記２方弁を制御するように構成し、暖房乾燥運転時において前記凝縮圧力検知手段の信号が前記凝縮圧力設定記憶手段の上限設定値を超えると前記２方弁を開成することを特徴とする請求項１または２に記載の空気調和機の制御方法。
【請求項５】
空気調和機は室内側の吹出し口に風向を制御する風向変更手段を設け、制御手段は乾燥運転スイッチの信号により前記風向変更手段を制御するように構成し、かつ前記乾燥運転スイッチの信号により暖房乾燥運転を行うとともに、前記風向変更手段により前記吹出し口を閉じることを特徴とする請求項１または２に記載の空気調和機の制御方法。
【請求項６】
空気調和機は室内側の吹出し口に風向を制御する風向変更手段と冷媒の凝縮圧力を検知する凝縮圧力検知手段を設け、制御手段には凝縮圧力設定記憶手段を設け、暖房乾燥運転時において室内送風機および前記風向変更手段を制御し、かつ前記凝縮圧力検知手段による前記凝縮圧力設定記憶手段の信号に基づき室外送風機および圧縮機を制御するように構成し、前記暖房乾燥運転時に前記室内送風機の回転数を低下し、前記凝縮圧力検知手段の信号が前記凝縮圧力設定記憶手段の上限設定値を超えると前記室外送風機を停止するとともに前記風向変更手段を閉じ、前記凝縮圧力設定記憶手段の下限設定値を下回ると前記室外送風機の回転数を下げて前記室外送風機を再運転するとともに、前記風向変更手段を開くように制御することを特徴とする請求項１または２に記載の空気調和機の制御方法。
【発明の詳細な説明】
【０００１】
【発明の属する技術分野】
本発明は、内部に湿気によるカビの発生を抑制する空気調和機の制御方法に関するものである。
【０００２】
【従来の技術】
従来の空気調和機では、冷房負荷が小さい時にサーモスイッチによる圧縮機の運転のオンオフを繰り返した場合、エアコンの内部がカビに適した温度と湿度が連続する状態となっている。特に部屋の天井に設けたビルトインタイプのエアコンは、内部に水分がこもりがちになりカビが発生しやすい。このために、図1５のタイムチャートに示すようにサーモスイッチによる運転オフして圧縮機が時間Ｔ１で停止した後も、室内ファンを継続して運転し、ある一定時間Ｔ２まで送風を行い、内部の水分をエアコン外に放出するよう制御している。
【０００３】
しかしながら、上記従来の構成では図１６に示すように圧縮機の停止後かなりの長時間、室内ファンの送風運転を継続しないとエアコン内部の湿度が低下せず、頻繁に圧縮機のオンオフするような場合や冷房運転停止後しばらく運転を行わないと、エアコン内部に水分がこもりがちになり、図１７に示すようにカビが発生しやすい高湿度の条件が長時間継続する。
【０００４】
図１６は室内側２７℃/６０％、室外側３５℃/６０%の条件で冷房運転停止後、室内ファンの送風運転を行い、エアコン内部の湿度の変化を示したものである。圧縮機の停止後直後９８%前後あった湿度が、約１０分で低下し始め、約４０分で、室内の空調と同等になることがわかる。これより、少なくとも冷房運転停止後３０分は送風運転を行わないとエアコン内部の湿気が外へ出て行かないことがわかる。図１７は上記と同条件で、圧縮機の停止後送風を行わない時のエアコン内部の環境を示している。圧縮機の停止後３５分は相対湿度が低下せず、その後徐々に低下し始めるが、９０分以上経過しても相対湿度が８０％以上あり、カビが発生しやすい湿度の条件が長時間継続することがわかる。
【０００５】
【発明が解決しようとする課題】
上記従来の技術の問題点に鑑み、本発明が解決しようとする課題は、室内の快適性を損なわず効果的にカビの成長を抑制する空気調和機の制御方法を提供することにある。
【０００６】
【課題を解決するための手段】
上記課題を解決するために本発明は、圧縮機、４方弁、室外側熱交換器、絞り手段、室内側熱交換器の順に環状に接続し、かつ前記室外側熱交換器に室外送風機、前記室内側熱交換器に室内送風機を設け、前記４方弁により冷房運転と暖房運転に切換える冷凍サイクルを具備した空気調和機であって、少なくとも冷房、暖房の運転モードおよび運転停止を指示する運転モード設定手段と、前記運転モード設定手段の指示により、前記冷凍サイクルを制御して前記運転モードを実行する制御手段とを設け、前記運転モード設定手段は前記空気調和機の室内機送風回路を乾燥させるため乾燥運転モードを有し、前記制御手段は前記乾燥運転モード時に使用する前記室内送風機による送風乾燥運転と前記冷凍サイクルを暖房に切換えて行う暖房乾燥運転の制御を有し、かつ前記乾燥運転モードの指示を受けた時に、空気調和機の運転状態を判定し、空気調和機が運転停止または送風運転中であれば暖房乾燥運転、次に送風乾燥運転を行い、あるいは冷房運転またはドライ運転中であれば、送風乾燥運転を先に行ってから、暖房乾燥運転、送風乾燥運転を行なう制御方法である。
【０００７】
従って、空気調和機の室内機送風回路を一時的に高温状態に保ち、カビにストレスを与え、カビの成長を抑制できるとともに、効果的な乾燥と室内の快適性を損なわないように乾燥運転を行うものである。
【０００８】
【発明の実施の形態】
上記した本発明の目的は、各請求項に記載した方法を実施の形態とすることにより達成できるので、以下には各請求項の方法にその方法による作用を併記し併せて請求項記載の方法のうち説明を必要とする特定用語については詳細な説明を加えて、本発明の実施の形態の説明とする。
【０００９】
請求項１記載に係る発明は、圧縮機、４方弁、室外側熱交換器、絞り手段、室内側熱交換器の順に環状に接続し、かつ前記室外側熱交換器に室外送風機、前記室内側熱交換器に室内送風機を設け、前記４方弁により冷房運転と暖房運転に切換える冷凍サイクルを具備した空気調和機であって、少なくとも冷房、暖房の運転モードおよび運転停止を指示する運転モード設定手段と、前記運転モード設定手段の指示により、前記冷凍サイクルを制御して前記運転モードを実行する制御手段とを設け、前記運転モード設定手段は前記空気調和機の室内機送風回路を乾燥させるため乾燥運転モードを有し、前記制御手段は前記乾燥運転モード時に使用する前記室内送風機による送風乾燥運転と前記冷凍サイクルを暖房に切換えて行う暖房乾燥運転の制御を有し、かつ前記乾燥運転モードの指示を受けた時に、空気調和機の運転状態を判定し、空気調和機が運転停止または送風運転中であれば暖房乾燥運転、次に送風乾燥運転を行い、あるいは冷房運転またはドライ運転中であれば、送風乾燥運転を先に行ってから、暖房乾燥運転、送風乾燥運転を行なう空気調和機の制御方法である。
【００１０】
上記実施の形態によれば、制御手段は運転モード設定手段より空気調和機の室内機送風回路を乾燥させるため乾燥運転の指示を受けると、先ず空気調和機の現在の状態を判定し、この時の空気調和機の状態に応じた乾燥運転を行うのである。例えば、空気調和機が運転停止または送風運転中であれば暖房乾燥運転、次に送風乾燥運転を行い、あるいは冷房運転またはドライ運転中であれば、送風乾燥運転を先に行って冷房中に生じた湿気を低下させてから、暖房乾燥運転、送風乾燥運転を行なうことにより、いきなり暖房乾燥運転を行い高温高湿の空気が吹出し口から室内に放出されるのを防止できる。従って、空気調和機における室内機送風回路のカビの成長を抑制できるとともに、効果的な乾燥と室内の快適性を損なわないように乾燥運転を行うことができる。
【００１１】
請求項２記載に係る発明は、圧縮機、４方弁、室外側熱交換器、絞り手段、室内側熱交換器の順に環状に接続し、かつ前記室外側熱交換器に室外送風機、前記室内側熱交換器に室内送風機を設け、前記４方弁により冷房運転と暖房運転に切換える冷凍サイクルを具備した空気調和機であって、運転モードを設定する運転モード設定手段と、前記運転モード設定手段の指示により、前記冷凍サイクルを制御して前記運転モードを実行する制御手段とを設け、前記運転モード設定手段は前記空気調和機の室内機送風回路を乾燥させるための乾燥運転スイッチを有し、前記制御手段は前記乾燥運転スイッチの信号を受ける運転モード記憶手段と前記乾燥運転時に使用する前記室内送風機による送風乾燥運転の時間設定記憶手段と前記冷凍サイクルを暖房に切換えて行う暖房乾燥運転の時間設定記憶手段とを有し、かつ前記乾燥運転スイッチの信号と前記運転モード記憶手段と前記送風乾燥および暖房乾燥の運転時間設定記憶手段の信号により前記圧縮機と前記４方弁と前記室内送風機と前記室外送風機を制御するように構成し、さらに制御手段は前記乾燥運転の指示により、運転モード記憶手段が空気調和機の運転停止または送風運転の場合は、設定された時間の暖房乾燥運転を行い、前記運転モード記憶手段が空気調和機の冷房運転またはドライ運転の場合は第１の所定時間だけ送風乾燥運転を行った後、第２の所定時間だけ暖房乾燥運転と送風乾燥運転を行い、運転モード記憶手段が空気調和機の暖房運転の場合は、そのまま暖房運転を継続させるように制御する空気調和機の制御方法である。
【００１２】
上記実施の形態によれば、制御手段は乾燥運転スイッチの信号による運転モード記憶手段に基づき、先ず空気調和機の現在の状態が判定され、この時の空気調和機の状態に応じた乾燥運転を行うのである。すなわち、制御手段は空気調和機が運転停止または送風運転の場合は、設定された時間の暖房乾燥運転を行い、空気調和機が冷房運転またはドライ運転の場合は、設定された時間の送風乾燥運転を行った後、設定された時間の暖房乾燥運転と送風乾燥運転を行い、空気調和機が暖房運転の場合は、そのまま暖房運転を継続させるのである。従って、空気調和機における室内機送風回路のカビの成長を抑制できるとともに、冷房またはドライ運転中にいきなり暖房乾燥運転に切り替えると、高温高湿の空気が室内空間に放出され快適性が損なわれるが、一旦送風乾燥運転を行ってから暖房乾燥運転に入るので、室内の快適性も維持できる。
【００１３】
請求項３記載に係る発明は、請求項１または２記載において、空気調和機は冷媒の凝縮圧力を検知する凝縮圧力検知手段を設け、制御手段は凝縮圧力設定記憶手段を設け、かつ前記凝縮圧力検知手段による凝縮圧力設定記憶手段の信号に基づき前記室外送風機と前記圧縮機を制御するように構成し、暖房乾燥運転時において前記凝縮圧力検知手段の信号が前記凝縮圧力設定記憶手段の上限設定値を超えると前記室外送風機を停止し、前記凝縮圧力設定記憶手段の下限設定値を下回ると前記室外送風機の回転数を下げて前記室外送風機を再運転する空気調和機の制御方法である。
【００１４】
上記実施の形態によれば、制御手段は暖房乾燥運転時において凝縮圧力検知手段の信号が凝縮圧力設定記憶手段の上限設定値を超えると室外送風機を停止し、前記凝縮圧力設定記憶手段の下限設定値を下回ると前記室外送風機の回転数を下げて前記室外送風機を再運転するので、空気調和機における室内機送風回路のカビの成長を抑制できるとともに、冷房期間中のため暖房負荷が高く、凝縮圧力が高くなり圧縮機に対する負荷が増大するが、凝縮圧力を制御することにより圧縮機の保護が可能となる。また、凝縮圧力をある一定の範囲内で制御することにより、空気調和機の室内機送風回路の空間をある一定の高温度範囲で保つことが可能となり、カビの成長の抑制効果を増大できる。
【００１５】
請求項４記載に係る発明は、請求項１または２記載において、空気調和機は冷凍サイクルの絞り手段をバイパスする２方弁と冷媒の凝縮圧力を検知する凝縮圧力検知手段を設け、制御手段は凝縮圧力設定記憶手段を設け、かつ前記凝縮圧力検知手段による凝縮圧力設定記憶手段の信号に基づき室外送風機と圧縮機および前記２方弁を制御するように構成し、暖房乾燥運転時において前記凝縮圧力検知手段の信号が前記凝縮圧力設定記憶手段の上限設定値を超えると前記２方弁を開成する空気調和機の制御方法である。
【００１６】
上記実施の形態によれば、制御手段は暖房乾燥運転時において凝縮圧力検知手段の信号が凝縮圧力設定記憶手段の上限設定値を超えると２方弁を開成するので、空気調和機における室内機送風回路のカビの成長を抑制できるとともに、冷房期間中のため暖房負荷が高く、凝縮圧力が高くなり圧縮機に対する負荷が増大するが、凝縮圧力を制御することで圧縮機の保護が可能となる。また、凝縮圧力をある一定の範囲内で制御することで、空気調和機における室内機送風回路の空間をある一定の高温度範囲で保つことが可能となり、カビの成長の抑制効果を増大できる。また、凝縮圧力をある一定の範囲内で制御するとともに、２方弁により冷凍サイクルの高低圧をバイパスするために圧縮機の圧縮比が小さくなり、圧縮機への負荷が軽減される。
【００１７】
請求項５記載に係る発明は、請求項１または２記載において、空気調和機は室内側の吹出し口に風向を制御する風向変更手段を設け、制御手段は乾燥運転スイッチの信号により前記風向変更手段を制御するように構成し、かつ前記乾燥運転スイッチの信号により暖房乾燥運転を行うとともに、前記風向変更手段により前記吹出し口を閉じる空気調和機の制御方法である。
【００１８】
上記実施の形態によれば、制御手段は暖房乾燥運転時に吹出し口の風向変更手段を閉じるので、空気調和機における室内機送風回路のカビの成長を抑制できるとともに、高温の空気が室内に漏れず、室内の快適性が損なわれないようにできる。また、空気調和機の室内機送風回路を外気と遮断することで、高温の熱が外部へ漏れず効率よく長く前記室内機送風回路を高温状態に保つことが可能となり、カビの成長の抑制効果を増大できる。
【００１９】
請求項６記載に係る発明は、請求項１また２記載において、空気調和機は室内側の吹出し口に風向を制御する風向変更手段と冷媒の凝縮圧力を検知する凝縮圧力検知手段を設け、制御手段には凝縮圧力設定記憶手段を設け、暖房乾燥運転時において室内送風機および前記風向変更手段を制御し、かつ前記凝縮圧力検知手段による前記凝縮圧力設定記憶手段の信号に基づき室外送風機および圧縮機を制御するように構成し、前記暖房乾燥運転時に前記室内送風機の回転数を低下し、前記凝縮圧力検知手段の信号が前記凝縮圧力設定記憶手段の上限設定値を超えると前記室外送風機を停止するとともに前記風向変更手段を閉じ、前記凝縮圧力設定記憶手段の下限設定値を下回ると前記室外送風機の回転数を下げて前記室外送風機を再運転するとともに、前記風向変更手段を開くように制御する空気調和機の制御方法である。
【００２０】
上記実施の形態によれば、制御手段は室内送風機の回転数を下げて暖房乾燥運転を行い、かつ凝縮圧力が凝縮圧力設定記憶手段の上限設定値を超えると室外送風機を停止するだけでなく風向変更手段も閉じ、さらに凝縮圧力が凝縮圧力設定記憶手段の下限設定値を下回ると室外送風機の回転数を下げて前記室外送風機を再運転し、かつ前記風向変更手段を開くように制御するので、空気調和機における室内機送風回路のカビの成長を抑制できる。
【００２１】
また、室内送風機の風量を最小にすることで、高温の空気が室内にあまり吹き出さず、室内の快適性が損なわれないようにできるとともに、一方である程度、室内熱交換器に風量を流すことで、凝縮圧力の上昇速度が緩和され、長い時間の暖房乾燥運転が継続し、かつ室外送風機の停止時、凝縮圧力が低下していくために空気調和機の室内機送風回路の温度も低下するが、空気調和機の室内機送風回路を外気と遮断することで、高温の熱が外部へ漏れず効率よく長く前記室内機送風回路を高温状態に保つことが可能となり、カビの成長の抑制効果を増大できる。
【００２２】
【実施例】
以下、本発明の空気調和機の制御方法の一実施例について、図面を参照しながら説明する。
【００２３】
（実施例１）
図１は、本発明に係る空気調和機の制御方法の冷凍サイクル図の一例である。冷凍サイクルは圧縮機１、室内側熱交換器２、室内送風機３、室外側熱交換器４、室外送風機５、絞り手段６、および冷房運転と暖房運転を切り変える４方弁７とで構成されている。上記構成の冷凍サイクルにおいて、冷房あるいはドライ運転時、圧縮機１から吐出された冷媒は４方弁７を介して室外側熱交換器４へと流れ、室外送風機５の駆動により室外側熱交換器４で室外空気と熱交換して凝縮液化し、次に絞り手段６を通過することにより減圧された冷媒は、室内側熱交換器２で蒸発した後に、４方弁７を介して再び圧縮機１に吸入される。
【００２４】
暖房運転時には４方弁7で冷媒の流れを切り替え、圧縮機１から吐出された冷媒は４方弁７を介して室内側熱交換器２へと流れ、室内送風機３の駆動により室内側熱交換器２で室内空気と熱交換して凝縮液化し、次に絞り手段６を通過することにより減圧された冷媒は、室外側熱交換器４で蒸発した後に、４方弁７を介して再び圧縮機１に吸入される。そして、冷房、暖房のいずれにおいても、室内送風機３による空気が室内側熱交換器２と熱交換して冷風または温風が吹出し口から室内に吹出され空調が行われる。
【００２５】
また、室内機２ａには部屋の室温を検出する室内空気吸い込み温度検知手段８、居住者が希望する運転モード（冷房、ドライ、送風または暖房の各運転）と室温と運転あるいは停止および冷房運転で内部に生じる湿気をなくすため室内機２ａ（エアコン内部）の乾燥運転を設定できる運転モード設定手段９、吹出し口からの吹き出す風の風向を変更する風向変更手段１０が設けられている。
【００２６】
また、室外機１ａにおける４方弁７と室内機側との接続配管を接続する室外側の弁１１の間に1番目の凝縮圧力検知手段１２があり、圧縮機1の吐出側と４方弁７の間に２番目の凝縮圧力検知手段１３が設けられている。
【００２７】
次に上記構成の空気調和機の制御について説明する。図２は制御手段Ａの構成を示す制御ブロック図で、制御手段Ａはマイクロコンピュータおよびその周辺回路からなり、空気調和機の全体制御と冷房運転で内部に生じる湿気によりエアコン内部でのカビの成長を抑制する乾燥運転を行うために図２に示す構成と図３に示すフローチャートを実行する制御シーケンスを備えているものである。
【００２８】
制御手段Ａには居住者が希望する運転モード切替スイッチ（冷房、ドライ、送風または暖房の各運転）と室温設定スイッチと運転あるいは停止スイッチおよびエアコン内部を乾燥させるための乾燥運転スイッチ１４で構成されている運転モード設定手段９の信号を記憶する運転モード記憶手段１５と、室内空気吸込み温度検知手段８の信号を記憶する室内空気吸い込み温度記憶装置１６と、２つの凝縮圧力検知手段１２、１３の信号をそれぞれ記憶する第１と第２の凝縮圧力記憶手段１７、１８と、エアコン内部の乾燥運転時における室内送風機３の送風乾燥時間の設定を記憶する送風乾燥運転時間設定記憶手段１９と、乾燥運転時における暖房乾燥時間の設定を記憶する暖房乾燥運転時間設定記憶手段２０と、２つの凝縮圧力検知手段１２、１３の凝縮圧力の上下限値を記憶する第１と第２の凝縮圧力設定記憶手段２１、２２の信号を受けて判定する判定手段２３と、判定手段２３の出力を受けて室内送風機３と風向変更手段１０と圧縮機１と室外送風機５を駆動する出力リレー回路２４を有している。
【００２９】
上記実施例において、図３の制御の流れを示すフローチャートに従い動作を説明する。室内機２ａ内のカビの成長を抑制する乾燥運転のため、乾燥運転スイッチ１４をＯＮすると信号が運転モード記憶手段１５に入力され、運転モード記憶手段１５は室内機２ａ内のカビの成長を抑制するための乾燥運転として信号を判定手段２３に出力し、判定手段２３は乾燥運転をするに当り、現在の空気調和機の運転状況を判断してその状態下で部屋の快適性を損なわず、効果的な乾燥運転が行える制御を実行するのである。
【００３０】
すなわち、居住者がステップ（以下Ｓと表示する）１でエアコン内部の乾燥運転スイッチ１４をＯＮすると、Ｓ２で判定手段２３は現在の空気調和機の状態を判断し、停止あるいは送風運転中場合は、室内空気吸込み温度検知手段８の信号を無視し、Ｓ３でタイマを時間Ｔａにセットし、Ｓ４、Ｓ５で暖房乾燥運転を１０分間行い、次にＳ６でタイマを時間ｔｂにセットし、その後Ｓ７、Ｓ８で1０分間の送風乾燥運転を行ってから、元の運転モードに戻る（停止あるいは送風）。
【００３１】
Ｓ２で停止あるいは送風運転中でない時、Ｓ９に進み冷房あるいはドライ運転中の場合はＳ１０でタイマを時間Ｔｃにセットし、室内送風機３によるＳ１１、Ｓ１２で1０分間の送風乾燥運転を行って内部の湿気を放出して少なくした後、Ｓ３に戻り運転停止時と同様にＳ３〜Ｓ８を実行し暖房乾燥運転を1０分、送風乾燥運転を1０分行った後、再び元の運転モード（冷房あるいはドライ）に戻る。またＳ９で冷房あるいはドライ運転でない時Ｓ１３に進み、暖房運転中の場合はエアコン内部を乾燥させる運転を必要としないので、乾燥運転スイッチ１４の信号を受け付けず、そのまま元の運転を継続する。
【００３２】
このように本実施例では、室内機の乾燥運転をするに当り、制御手段Ａは判定手段２３で現在の空気調和機の運転状況を判断してその状態下で部屋の快適性を損なわず、効果的な乾燥運転が行える制御を実行するものである。すなわち、空気調和機が運転停止中または送風運転の時は、冷凍サイクルを暖房運転に切換えて暖房乾燥運転を先に、後に送風乾燥運転を行い、また冷房運転またはドライ運転中の時は、先に送風乾燥運転、その後に前記暖房乾燥運転、続いて送風乾燥運転を行い、さらに暖房運転中の時は乾燥運転が必要ないので行わないようにするものである。
【００３３】
従って、効果的な乾燥と室内の快適性を損なわないように乾燥運転を行うことができる。また、エアコンの内部を４０℃以上の高温状態に一時的にでき、カビにストレスを与え、カビの成長を抑制できるとともに、冷房またはドライ運転中にいきなり暖房乾燥運転に切り替えると、高温高湿の空気が室内空間に放出され快適性が損なわれるが、一旦送風乾燥運転を行ってエアコンの内部の湿気を低下させてから暖房乾燥運転を行うので、室内の快適性も維持できる。
【００３４】
（実施例２）
本実施例は、エアコン内部の乾燥運転において暖房乾燥運転時に凝縮圧力に基づき室外送風機の回転速度を制御する構成とした点で、実施例１の発明と異なるだけで、それ以外は同じなので、図１に示す本発明の空気調和機の制御方法の冷凍サイクル図、図２に示す制御手段Ａの制御ブロック図を利用して実施例1と同等の部分については詳細な説明を省略し、異なるところを中心に説明する。
【００３５】
制御手段Ａはマイクロコンピュータ及びその周辺回路からなり、空気調和機の全体制御とエアコン内部でのカビの成長を抑制する乾燥運転を行うために、図２に示す構成と図４に示すフローチャートを実行する制御シーケンスを備えているものである。
【００３６】
また、制御手段Ａは１番目の凝縮圧力検知手段１２の信号が、第１の凝縮圧力設定記憶手段２１の上限設定値を超えると室外送風機５を停止し、その後第１の凝縮圧力設定記憶手段２１の下限設定値を下回ると室外送風機５のモータのタップを１タップ落として回転速度を下げて室外送風機５を再運転し、かつ２番目の凝縮圧力検知手段１３の信号が第２の凝縮圧力設定記憶手段２２の上限設定値を超えると圧縮機１及び室外送風機５を第２の凝縮圧力設定記憶手段２２の下限設定値を下回るまで停止するように構成したものである。
【００３７】
本実施例において、図４の制御の流れを示すフローチャートと図５の圧縮機と、凝縮圧力と、室外送風機との関係を示すタイムチャートに従い動作を説明する。居住者がエアコン内部の乾燥のため、Ｓ１で乾燥運転スイッチ1４を押すと、判定手段２３は現在の空気調和機の使用状態を判断し、Ｓ２で停止あるいは送風運転中場合は、室内空気吸込み温度検知手段８の信号を無視し、Ｓ３でタイマを時間Ｔａにセットし、Ｓ４で暖房乾燥運転を行うとともに、Ｓ５で1番目の凝縮圧力検知手段１２による凝縮圧力Ｐ１の検出を始める。
【００３８】
そして、Ｓ６で暖房乾燥運転が1０分間経過していないのにＳ７で、1番目の凝縮圧力検知手段１２の検出した凝縮圧力値が２．４ＭＰａ（上限設定値）を超えると、Ｓ８、Ｓ９で室外送風機５を1番目の凝縮圧力検知手段１２の値が２．０ＭＰａ（下限設定値）を下回るまで停止する。Ｓ９で1番目の凝縮圧力検知手段１２の値が２．０ＭＰａを下回ると、Ｓ１０で室外送風機５を再運転し、Ｓ１１で室外送風機５のモータのタップを１タップ落として回転速度を下げＳ５に戻り、Ｓ５〜Ｓ１１を実行して室外送風機５の最低タップまで同様のことを繰り返して回転速度を低下させるのである。
【００３９】
図８のタイムチャートでは室外送風機５が４タップある場合を示しており、時間Ｔ２で２速目のＨｉタップ、時間Ｔ４で３速目のＭｅｄタップ、時間Ｔ６で４速目のＬｏｗタップで運転し、時間Ｔ８では４速目のＬｏｗタップを繰り返し、運転途中で時間Ｔ９＝１０分が経過し、暖房乾燥運転を終了し、送風乾燥運転に移行した一例を示している。
【００４０】
Ｓ６で暖房乾燥運転を１０分行った後、Ｓ１２でタイマを時間Ｔｂにセットし１０分間の送風乾燥運転をＳ１３、Ｓ１４で行い、その後再び元の運転モード（停止あるいは送風）に戻る。Ｓ２で空気調和機が運転停止または送風運転中でない時、Ｓ１５で冷房あるいはドライ運転中の場合はＳ１６でタイマを時間Ｔｃにセットし、Ｓ１７、Ｓ１８で１０分間の送風乾燥運転を行った後、停止時と同様にＳ３〜Ｓ１４を実行して暖房乾燥運転を１０分、送風乾燥運転を１０分行った後、再び元の運転モード（冷房あるいはドライ）に戻る。さらにＳ１５で冷房運転またはドライ運転中でもない、暖房運転中の場合はエアコン内部を乾燥させる運転を必要としないので、Ｓ１９で乾燥運転スイッチ１４の信号を受け付けず、そのまま元の運転を継続する。
【００４１】
このように本実施例では、室内機の乾燥運転をするに当り、制御手段Ａは判定手段２３で現在の空気調和機の状態を判断してその状態下で部屋の快適性を損なわず、効果的な乾燥が行える制御を実行するものである。すなわち、空気調和機が運転停止中または送風運転の時は、冷凍サイクルを暖房運転に切換えて暖房乾燥運転を凝縮圧力に基づき室外送風機の回転数を低下させながら先に行い、後に送風乾燥運転を行い、また冷房運転またはドライ運転中の時は、先に送風乾燥運転、その後に凝縮圧力に基づき室外送風機の回転数を低下させながら暖房乾燥運転、続いて送風乾燥運転を行い、さらに暖房運転中の時は乾燥運転が必要ないので行わないようにするものである。
【００４２】
特に本実施例では、凝縮圧力を２．０ＭＰａから２．４ＭＰａの範囲内で制御することにより、エアコン室内機の空間を１０分間４０℃以上の高温度範囲で継続して保つことが可能となり、カビの成長の抑制効果が一層増大する。（カビは毎日４０℃以上、間欠過熱を繰り返すことにより、成長が抑制される）。また、冷房期間中のため暖房負荷が高く、凝縮圧力が高くなり圧縮機に対する負荷が増大するが、凝縮圧力を制御することにより圧縮機の保護が可能となる。
【００４３】
また、冷房またはドライ運転中でも、先に送風乾燥運転を行うので高温高湿の空気が室内空間にいきなり放出され快適性が損なわれるのを防止できる。また、凝縮圧力をある一定の範囲内で制御することにより、エアコン内部の空間をある一定の高温度範囲で保つことが可能となり、カビの成長の抑制効果を増大できる。
【００４４】
（実施例３）
本実施例は、エアコン内部の乾燥運転において暖房乾燥運転時に凝縮圧力に基づき室外送風機の回転速度を制御する構成以外に、冷凍サイクルの絞り手段に並列に配管した電磁２方弁を凝縮圧力に基づき制御する構成とした点で、実施例１および実施例２の発明と異なるものである。
【００４５】
図６は、本発明に係る空気調和機の制御方法の冷凍サイクル図である。この冷凍サイクルは、能力一定の圧縮機１、室内側熱交換器２、室内送風機３、室外側熱交換器４、室外送風機５、絞り手段６、および冷房運転と暖房運転を切り変える４方弁７とで構成されている。また絞り手段６と並列に絞り手段６をバイパスするように常には閉じている電磁２方弁２５と若干の減圧を行う絞り手段２６の直列配管回路が設けられている。
【００４６】
上記構成の冷凍サイクルにおいて、冷房あるいはドライ運転時、圧縮機1から吐出された冷媒は４方弁７を介して室外側熱交換器４へと流れ、室外送風機５の駆動により室外側熱交換器４で室外空気と熱交換して凝縮液化し、次に絞り手段６を通過することにより減圧された冷媒は、室内側熱交換器２で蒸発した後に、４方弁7を介して再び圧縮機1に吸入される。暖房運転時には４方弁７で冷媒の流れを切り替え、圧縮機1から吐出された冷媒は４方弁７を介して室内側熱交換器２へと流れ、室内送風機３の駆動により室内側熱交換器２で室内空気と熱交換して凝縮液化し、次に絞り手段６を通過することにより減圧された冷媒は、室外側熱交換器４で蒸発した後に、４方弁７を介して再び圧縮機1に吸入される。
【００４７】
また、室内機２ａには部屋の室温を検出する室内空気吸込み温度検知手段８、居住者が希望する運転モード（冷房、ドライ、送風または暖房の各運転）と室温と運転あるいは停止及びエアコン内部の乾燥運転を設定できる運転モード設定手段９、室内機の吹出し口からの吹き出す風の風向を変更する風向変更手段１０が設けられている。
【００４８】
また室外機１ａにおける４方弁７と室内機２ａ側との接続配管を接続する弁１１の間に１番目の凝縮圧力検知手段１２が設けてあり、圧縮機１の吐出側と４方弁７の間に２番目の凝縮圧力検知手段１３が設けられている。
【００４９】
次に上記構成の空気調和機の制御について説明する。図７は制御手段Ａ１の構成を示す制御ブロック図で、制御手段Ａ１はマイクロコンピュータ及びその周辺回路からなり、空気調和機の全体制御と冷房運転で内部に生じる湿気によるエアコン内部でのカビの成長を抑制する乾燥運転を行うために図７に示す構成と図８に示すフローチャートを実行する制御シーケンスを備えているものである。
【００５０】
制御手段Ａ１には、居住者が希望する運転モード切替スイッチ（冷房、ドライ、送風または暖房の各運転）と室温設定スイッチと運転あるいは停止スイッチ及びエアコン内部を乾燥させるための乾燥運転スイッチ１４で構成されている運転モード設定手段９の信号を記憶する運転モード記憶手段１５と、室内空気吸込み温度検知手段８の信号を記憶する室内空気吸込み温度記憶手段１６と、２つの凝縮圧力検知手段１２、１３の信号をそれぞれ記憶する第１と第２の凝縮圧力記憶手段１７、１８と、エアコン内部の乾燥運転時における送風乾燥運転時間の設定を記憶する送風乾燥運転時間設定記憶手段１９と、乾燥運転時における暖房乾燥運転時間の設定を記憶する暖房乾燥運転時間設定記憶手段２０と、第１と第２の凝縮圧力記憶手段１７、１８の凝縮圧力の上下限値を記憶する第１と第２の凝縮圧力設定記憶手段２１、２２の信号を受けて判定する判定手段２３と、判定手段２３の出力を受けて室内送風機３と風向変更手段１０と圧縮機１と室外送風機５と電磁２方弁２７を駆動する出力リレー回路２４を有している。
【００５１】
そして、制御手段Ａ１は１番目の凝縮圧力検知手段１２の信号が第１の凝縮圧力設定記憶手段２１の上限設定値を超えると、電磁２方弁２７を第１の凝縮圧力設定記憶手段２１の下限設定値をある一定時間下回るまで開とするよう制御する構成にしたものである。
【００５２】
上記実施例において、図８の制御の流れを示すフローチャートに従い動作を説明する。室内機２ａ内のカビの成長を抑制する乾燥運転のため、乾燥運転スイッチ１４をＯＮすると信号が運転モード記憶手段１５に入力され、運転モード記憶手段１５は室内機２ａ内のカビの成長を抑制するための乾燥運転として信号を判定手段２３に出力し、判定手段２３は乾燥運転をするに当り、現在の空気調和機の使用状態を判断してその状態下で部屋の快適性を損なわず、効果的な乾燥運転が行える制御を実行するのである。
【００５３】
すなわち、居住者がＳ１で乾燥運転スイッチ１４を押すと、判定手段２３は現在の運転状況を判断し、Ｓ２で空気調和機の運転停止あるいは送風運転中の場合は室内空気吸込み温度検知手段８の信号を無視し、Ｓ３でタイマにより時間Ｔａをセットし、Ｓ４で暖房乾燥運転を行うとともに、Ｓ５で1番目の凝縮圧力検知手段１２による凝縮圧力Ｐ１の検出を始める。
【００５４】
そして、Ｓ６で暖房乾燥運転が1０分間経過していないのにＳ７で、1番目の凝縮圧力検知手段１２の検出した凝縮圧力値が２．４ＭＰａを超えると、Ｓ８で電磁２方弁２５を開き、冷凍サイクルにおける電磁２方弁２５、第２の絞り手段２６を経て冷凍サイクルに冷媒を循環させ、凝縮圧力を減圧するようにする。その後は実施例２における図４に示すフローチャートと同じ流れとなる。
【００５５】
すなわち、Ｓ９で凝縮圧力値が２．４ＭＰａを超えたことを確認すると、Ｓ１０で室外送風機５を1番目の凝縮圧力検知手段１２の値が２．０ＭＰａを下回るまで停止する。Ｓ１１で1番目の凝縮圧力検知手段１２の値が２．０ＭＰａを下回ると、Ｓ１２で室外送風機５を再運転し、Ｓ１３で室外送風機５のモータのタップを１タップ落として回転速度を低下してＳ５に戻り、Ｓ５〜Ｓ１１を実行して室外送風機５の最低タップまで同様のことを繰り返して回転速度を低下させるのである。
【００５６】
Ｓ６で暖房乾燥運転を１０分行った後、Ｓ１４でタイマを時間Ｔｂにセットし１０分間の送風乾燥運転をＳ１５、Ｓ１６で行い、その後再び元の運転モード（停止あるいは送風）に戻る。Ｓ２で空気調和機が運転停止または送風運転中でない時、Ｓ１７で冷房あるいはドライ運転中の場合はＳ１８でタイマを時間Ｔｃにセットし、Ｓ１９、Ｓ２０で１０分間の送風乾燥運転を行った後、停止時と同様にＳ３〜Ｓ１６を実行して暖房乾燥運転を１０分、送風乾燥運転を１０分行った後、再び元の運転モード（冷房あるいはドライ）に戻る。さらにＳ１７で冷房運転またはドライ運転中でもない、暖房運転中の場合はエアコン内部を乾燥させる運転を必要としないので、Ｓ２１で乾燥運転スイッチ１４の信号を受け付けず、そのまま元の運転を継続する。
【００５７】
このように本実施例では、エアコン内部の乾燥運転をするに当り、制御手段Ａ１は判定手段２３で現在の空気調和機の状態を判断してその状態下で部屋の快適性を損なわず、効果的な乾燥が行える制御を実行するものである。すなわち、空気調和機の運転停止中または送風運転の時は、冷凍サイクルを暖房運転に切換えて暖房乾燥運転を凝縮圧力に基づき制御しながら先に行い、後に送風乾燥運転を行い、また冷房運転またはドライ運転中の時は、先に送風乾燥運転、その後に凝縮圧力に基づきながら暖房乾燥運転、続いて送風乾燥運転を行い、さらに暖房運転中の時は乾燥運転が必要ないので行わないようにするものである。
【００５８】
特に本実施例では、凝縮圧力を２．０ＭＰａから２．４ＭＰａの範囲内で制御することにより、エアコン室内機の空間を１０分間４０℃以上の高温度範囲で継続して保つことが可能となり、カビの成長の抑制効果が一層増大する。（カビは毎日４０℃以上、間欠過熱を繰り返すことにより、成長が抑制される）。また、冷房期間中のため暖房負荷が高く、凝縮圧力が高くなり圧縮機に対する負荷が増大するが、凝縮圧力を前記のように制御することにより、圧縮機の保護が可能となる。
【００５９】
また、凝縮圧力をある一定の範囲内で制御するとともに、電磁２方弁により冷凍サイクルの高低圧をバイパスするために圧縮機の圧縮比が小さくなり、圧縮機への負荷が軽減される。また、冷房またはドライ運転中でも、先に送風乾燥運転を行うので高温高湿の空気が室内空間にいきなり放出され快適性が損なわれるのを防止できる。
【００６０】
なお、上記実施例において使用した電磁２方弁２５は、２方弁であれば電磁弁に限定されるものではない。
【００６１】
（実施例４）
本実施例は、エアコン内部の乾燥運転において暖房乾燥運転時に凝縮圧力に基づき室外送風機の回転速度を制御する構成以外に、エアコンの吹出し口に設けた風向変更手段を制御する構成にした点で、実施例２の発明と異なるだけで、それ以外は同じなので、図１に示す本発明の空気調和機の制御方法の冷凍サイクル図、図２に示す制御手段Ａの制御ブロック図を利用して実施例１、実施例２と同等の部分については詳細な説明を省略し、異なるところを中心に説明する。
【００６２】
制御手段Ａはマイクロコンピュータ及びその周辺回路からなり、空気調和機の全体制御とエアコン内部での冷房運転で生じる湿気により発生するカビの成長を抑制する乾燥運転を行うために、図２に示す構成と図９に示すフローチャートを実行する制御シーケンスを備えているものである。そして、制御手段Ａは、乾燥運転スイッチ１４のＯＮ信号により、暖房乾燥運転時にはエアコンの吹出し口に設けた風向変更手段１０を閉じるように構成している。
【００６３】
上記実施例において、図９の制御の流れを示すフローチャートと、図１０における圧縮機と、凝縮圧力と、室内送風機と、風向変更手段と、室外送風機との関係を示すタイムチャートに従い動作を説明する。Ｓ１で乾燥運転スイッチ1４をＯＮすると、判定手段２３は現在の空気調和機の状態を判断し、Ｓ２で停止あるいは送風運転中場合は、室内空気吸込み温度検知手段８の信号を無視し、Ｓ３でタイマを時間Ｔａにセットし、Ｓ４で暖房乾燥運転を１０分間行うが、この暖房乾燥運転と同時にＳ５で風向変更手段１０を閉じる。その後Ｓ６で、1番目の凝縮圧力検知手段１２による凝縮圧力Ｐ１の検出を始める。
【００６４】
そして、Ｓ７で暖房乾燥運転が1０分間経過していないのにＳ８で、1番目の凝縮圧力検知手段１２の検出した凝縮圧力値が２．４ＭＰａを超えると、Ｓ９、Ｓ１０で室外送風機５を1番目の凝縮圧力検知手段１２の値が２．０ＭＰａを下回るまで停止する。Ｓ１０で1番目の凝縮圧力検知手段１２の値が２．０ＭＰａを下回ると、Ｓ１１で室外送風機５を再運転し、Ｓ１２で室外送風機５のモータのタップを１タップ落として回転速度を下げＳ６に戻り、Ｓ６〜Ｓ１２を実行して室外送風機５の最低タップまで同様のことを繰り返して回転速度を低下させるのである。
【００６５】
図１０のタイムチャートでは室外送風機５が４タップある場合を示しており、時間Ｔ２で２速目のＨｉタップ、時間Ｔ４で３速目のＭｅｄタップ、時間Ｔ６で４速目のＬｏｗタップで運転し、時間Ｔ８では４速目のＬｏｗタップを繰り返し、運転途中で時間Ｔ９＝１０分が経過し、暖房乾燥運転を終了し、送風乾燥運転に移行した一例を示している。
【００６６】
Ｓ７で暖房乾燥運転を１０分行った後、Ｓ１３でタイマを時間Ｔｂにセットするとともに、Ｓ１４で風向変更手段１０を上向きの元に戻し、１０分間の送風乾燥運転をＳ１５、Ｓ１６で行い、その後再び元の運転モード（停止あるいは送風）に戻る。Ｓ２で空気調和機が運転停止または送風運転中でない時、Ｓ１７で冷房あるいはドライ運転中の場合はＳ１８でタイマを時間Ｔｃにセットし、Ｓ１９、Ｓ２０で１０分間の送風乾燥運転を行った後、停止時と同様にＳ３〜Ｓ１６を実行して暖房乾燥運転を１０分、送風乾燥運転を１０分行った後、再び元の運転モード（冷房あるいはドライ）に戻る。さらにＳ１７で冷房運転またはドライ運転中でもない、暖房運転中の場合はエアコン内部を乾燥させる運転を必要としないので、Ｓ２１で乾燥運転スイッチ１４の信号を受け付けず、そのまま元の運転を継続する。
【００６７】
このように本実施例では、エアコン内部の乾燥運転をするに当り、制御手段Ａは運転モード記憶手段１５に基く判定手段２３で現在の空気調和機の運転状況を判断してその状態下で部屋の快適性を損なわず、効果的な乾燥が行える制御を実行するものである。すなわち、空気調和機の運転停止中または送風運転の時は、冷凍サイクルを暖房運転に切換えて暖房乾燥運転を、風向変更手段を閉じ、かつ凝縮圧力の一定範囲内の制御に基づき室外送風機の回転数を低下させながら先に行い、後に送風乾燥運転を行い、また冷房運転またはドライ運転中の時は、先に送風乾燥運転、その後に風向変更手段を閉じ、かつ凝縮圧力の一定範囲内の制御に基づき室外送風機の回転数を低下させながら暖房乾燥運転、続いて送風乾燥運転を行い、さらに暖房運転中の時は乾燥運転が必要ないので行わないようにするものである。
【００６８】
特に本実施例では、凝縮圧力を２．０ＭＰａから２．４ＭＰａの範囲内で制御することにより、エアコン室内機の空間を１０分間４０℃以上の高温度範囲で継続して保つことが可能となり、かつ風向変更手段を閉めることにより、エアコン外の空気と内部を遮断でき、高温の熱が外部へ漏れず効率よく長時間、エアコンの内部を高温状態に保つことが可能となり、カビの成長の抑制効果を一層増大できる。（カビは毎日４０℃以上間欠過熱を繰り返すことにより、成長が抑制される）。また、冷房期間中のため暖房負荷が高く、凝縮圧力が高くなり圧縮機に対する負荷が増大するが、凝縮圧力を制御することにより圧縮機の保護が可能となる。また、風向変更手段を閉めることにより、高温の空気が室内に漏れず、快適性が損なわれない。
【００６９】
なお、本実施例は風向変更手段を乾燥運転時に開閉するので、制御手段Ａに風向位置記憶装置を設け、これにより風向変更手段を制御するようにしても良い。
【００７０】
（実施例５）
本実施例は、エアコン内部の乾燥運転において暖房乾燥運転時に、室内送風機の風量を小さく制御する制御手段に構成にした点で、実施例２の発明と異なり、それ以外は同じなので、図１に示す本発明の空気調和機の制御方法の冷凍サイクル図、図２に示す制御手段Ａの制御ブロック図を利用して実施例１、実施例２および実施例４と同等の部分については詳細な説明を省略し、異なるところを中心に説明する。
【００７１】
制御手段Ａはマイクロコンピュータ及びその周辺回路からなり、空気調和機の全体制御とエアコン内部での冷房運転で生じる湿気により発生するカビの成長を抑制する乾燥運転を行うために、図２に示す構成と図１１に示すフローチャートを実行する制御シーケンスを備えているものである。そして、制御手段Ａは、乾燥運転スイッチ１４のＯＮ信号により、暖房乾燥運転時には室内送風機の回転数を最低に制御するとともに、凝縮圧力が上限値を超えた時、エアコンの吹出し口に設けた風向変更手段１０を閉じるように構成している。
【００７２】
上記実施例において、図１１の制御の流れを示すフローチャートと、図１２における圧縮機と、凝縮圧力と、室内送風機と、風向変更手段と、室外送風機との関係を示すタイムチャートに従い動作を説明する。Ｓ１で乾燥運転スイッチ1４をＯＮすると、判定手段２３は現在の空気調和機の状態を判断し、Ｓ２で停止あるいは送風運転中場合は、室内空気吸込み温度検知手段８の信号を無視し、Ｓ３でタイマを時間Ｔａにセットし、Ｓ４で暖房乾燥運転を１０分間行うが、この暖房乾燥運転と同時にＳ５で室内送風機３の回転数を最低にして風量を小さくする。その後Ｓ６で、1番目の凝縮圧力検知手段１２による凝縮圧力Ｐ１の検出を始める。
【００７３】
そして、Ｓ７で暖房乾燥運転が1０分間経過していないのにＳ８で、1番目の凝縮圧力検知手段１２の検出した凝縮圧力値が２．４ＭＰａを超えると、Ｓ９、Ｓ１０で室外送風機５を1番目の凝縮圧力検知手段１２の値が２．０ＭＰａを下回るまで停止するとともに、風向変更手段１０を閉じる。Ｓ１１で1番目の凝縮圧力検知手段１２の値が２．０ＭＰａを下回ると、Ｓ１２で室外送風機５を再運転し、Ｓ１３で室外送風機５のモータのタップを１タップ落として回転速度を下げるとともに、Ｓ１４で風向変更手段１０を上向きの元に戻しＳ６に戻り、Ｓ６〜Ｓ１４を実行して室外送風機５の最低タップまで同様のことを繰り返して回転速度を低下させるのである。
【００７４】
図１２のタイムチャートでは暖房乾燥運転を開始した時点で室内送風機３の回転数を最低にしている。また室外送風機５が４タップある場合を示しており、時間Ｔ２で２速目のＨｉタップ、時間Ｔ４で３速目のＭｅｄタップ、時間Ｔ６で４速目のＬｏｗタップで運転し、時間Ｔ８では４速目のＬｏｗタップを繰り返し、運転途中で時間Ｔ９＝１０分が経過し、暖房乾燥運転を終了し、送風乾燥運転に移行した一例を示している。
【００７５】
Ｓ７で暖房乾燥運転を１０分行った後、Ｓ１５でタイマを時間Ｔｂにセットするとともに、１０分間の送風乾燥運転をＳ１６、Ｓ１７で行い、その後再び元の運転モード（停止あるいは送風）に戻る。Ｓ２で空気調和機が運転停止または送風運転中でない時、Ｓ１８で冷房あるいはドライ運転中の場合はＳ１９でタイマを時間Ｔｃにセットし、Ｓ２０、Ｓ２１で１０分間の送風乾燥運転を行った後、停止時と同様にＳ３〜Ｓ１７を実行して暖房乾燥運転を１０分、送風乾燥運転を１０分行った後、再び元の運転モード（冷房あるいはドライ）に戻る。さらにＳ１８で冷房運転またはドライ運転中でもない、暖房運転中の場合はエアコン内部を乾燥させる運転を必要としないので、Ｓ２２で乾燥運転スイッチ１４の信号を受け付けず、そのまま元の運転を継続する。
【００７６】
このように本実施例では、エアコン内部の乾燥運転をするに当り、制御手段Ａは判定手段２３で現在の空気調和機の状態を判断してその状態下で部屋の快適性を損なわず、効果的な乾燥が行える制御を実行するものである。すなわち、運転停止中または送風運転の時は、冷凍サイクルを暖房運転に切換えて暖房乾燥運転を、室内送風機の回転数を低下させるとともに、凝縮圧力の上限値を超えた時、風向変更手段を閉じ、かつ室外送風機の停止による凝縮圧力の低下に基づき室外送風機の回転数を低下させ、さらに前記風向変更手段の閉じたのを元に戻し、後に送風乾燥運転を行うものである。また冷房運転またはドライ運転中の時は、先に送風乾燥運転を行い、その後に前記した運転停止中または送風運転の時と同じように暖房乾燥運転を、続いて送風乾燥運転をそれぞれ行い、さらに暖房運転中の時は乾燥運転が必要ないので行わないようにするものである。
【００７７】
従って、カビの成長を抑制できる。また、エアコン内部の風量を最小にすることで、高温の空気が室内にあまり吹き出さず、室内の快適性が損なわれない。また、ある程度室内側の熱交換器に風量を流すことで、凝縮圧力の上昇速度が緩和され、長い時間の暖房乾燥運転を継続でき、かつ室外送風機の停止時凝縮圧力が低下していくためにエアコン内部の温度も低下するが、エアコン外の空気と内部を遮断することにより、高温の熱が外部へ漏れず効率よく長時間エアコンの内部を高温状態に保つことが可能となり、カビの成長の抑制効果が増大できる。
【００７８】
（実施例６）
本実施例は、エアコン内部の乾燥運転において暖房乾燥運転中に何らかの要因で大きな負荷変動が起きて凝縮圧力が制御値を超えた時に、圧縮機と室外送風機を前記凝縮圧力が制御範囲内に戻るまで停止し、かつ風向変更手段を閉じるように制御する構成に制御手段を形成したものであり、図１に示す本発明の空気調和機の制御方法の冷凍サイクル図、図２に示す制御手段Ａの制御ブロック図を利用して実施例１、実施例２、実施例４、実施例５と同等の部分については詳細な説明を省略し、異なるところを中心に説明する。
【００７９】
制御手段Ａはマイクロコンピュータ及びその周辺回路からなり、空気調和機の全体制御とエアコン内部での冷房運転で生じる湿気により発生するカビの成長を抑制する乾燥運転を行うために、図２に示す構成と図１３に示すフローチャートを実行する制御シーケンスを備えているものである。そして、制御手段Ａは、暖房乾燥運転中に何らかの要因で大きな負荷変動が起きて凝縮圧力が、１番目の凝縮圧力検知手段１２の制御設定値を超え、これを２番目の凝縮圧力検知手段１３が検知した時に、圧縮機１と室外送風機５を前記凝縮圧力が制御範囲内に戻るまで停止し、かつ風向変更手段１０を閉じるように構成している。
【００８０】
上記実施例において、図１３の制御の流れを示すフローチャートと、図１４における圧縮機と、凝縮圧力と、室内送風機と、風向変更手段と、室外送風機との関係を示すタイムチャートに従い動作を説明する。居住者がエアコン内部の乾燥のために、Ｓ１で乾燥運転スイッチ１４をＯＮすると、判定手段２３は現在の空気調和機の状態を判断し、Ｓ２で停止あるいは送風運転中場合は室内空気吸込み温度検知手段８の信号を無視し、Ｓ３でタイマを時間Ｔａにセットし、Ｓ４で暖房乾燥運転を１０分間行うが、この暖房乾燥運転と同時にＳ５で室内送風機３を最低回転数に下げ室内機２ａの吹出し口からの風量を最小にする。その後、Ｓ６で１番目と２番目の凝縮圧力検知手段１２、１３が凝縮圧力の検出を始める。
【００８１】
そして、Ｓ７で暖房乾燥運転が1０分間経過していなく、かつＳ８、Ｓ９で２番目の凝縮圧力検知手段１３の検知した凝縮圧力値が３．０Ｍｐａ以下で、1番目の凝縮圧力検知手段１２の検出した凝縮圧力値が２．４ＭＰａを超えると、Ｓ１０で室外送風機５を1番目の凝縮圧力検知手段１２の値が２．０ＭＰａを下回るまで停止する。Ｓ１１で1番目の凝縮圧力検知手段１２の値が２．０ＭＰａを下回ると、Ｓ１２で室外送風機５を再運転し、Ｓ１３で室外送風機５のモータのタップを１タップ落として回転速度を下げるとともに、Ｓ６に戻り、Ｓ６〜Ｓ１３を実行して室外送風機５の最低タップまで同様のことを繰り返して回転速度を低下させるのである。
【００８２】
しかし、この暖房乾燥運転の途中で大きな負荷変動があり、Ｓ８で凝縮圧力が1番目の凝縮圧力検知手段１２の制御設定値３．０Ｍｐａを超えた場合、これを２番目の凝縮圧力検知手段１３が検知して第２の凝縮圧力記憶手段１８、判定手段２３に信号が送られ、Ｓ２３で圧縮機１と室外送風機５を停止し、Ｓ２４で風向変更手段１０を閉じる。そして、Ｓ２５で２番目の凝縮圧力検知手段１３の検知する値が２．４Ｍｐａより大きい間、Ｓ２１〜Ｓ２５を繰り返し実行する。
【００８３】
図５のタイムチャートでは、暖房乾燥運転を開始後、時間Ｔ６以降に負荷変動があり、凝縮圧力が３．０ＭＰａを超え、時間Ｔ７で圧縮機１、室外送風機５を停止し、風向変更手段１０を閉じている一例を示している。また、室外送風機５が４タップある場合を示しており、時間Ｔ２で２速目のＨｉタップ、時間Ｔ４で３速目のＭｅｄタップ、時間Ｔ６で4速目のＬｏｗタップで運転し、時間Ｔ８では４速目のＬｏｗタップを繰り返し、運転途中の時間Ｔ９＝１０分が経過し、暖房運転を終了し、送風乾燥運転に移行した一例を示している。
【００８４】
そして暖房乾燥運転を１０分行った後、Ｓ２５で２番目の凝縮圧力検知手段１３の検知する値が２．０Ｍｐａを下回ると、Ｓ２６で風向変更手段１０を開き上向きの元の位置に戻し、Ｓ１４でタイマを時間Ｔｂにセットし、Ｓ１５、Ｓ１６で１０分間の送風乾燥運転を行い、その後再び元の運転モード（（停止あるいは送風）に戻る。
【００８５】
Ｓ２で空気調和機が運転停止または送風運転中でない時、Ｓ１７で冷房あるいはドライ運転中の場合はＳ１８でタイマを時間Ｔｃにセットし、Ｓ１９、Ｓ２０で１０分間の送風乾燥運転を行った後、停止時と同様にＳ３〜Ｓ１６を実行して暖房乾燥運転を１０分、送風乾燥運転を１０分行った後、再び元の運転モード（冷房あるいはドライ）に戻る。さらにＳ１７で冷房運転またはドライ運転中でもない、暖房運転中の場合はエアコン内部を乾燥させる運転を必要としないので、Ｓ２７で乾燥運転スイッチ１４の信号を受け付けず、そのまま元の運転を継続する。
【００８６】
このように本実施例では、空気調和機の室内機送風回路の風量を最小にすることで、高温の空気が室内にあまり吹き出さず、室内の快適性が損なわれない。また、ある程度室内側の熱交換器に風量を流すことで、凝縮圧力の上昇速度が緩和され、長い時間の暖房乾燥運転を継続でき、かつ室外送風機の停止時凝縮圧力が低下していくためにエアコン内部の温度も低下するが、エアコン外の空気と内部を遮断することにより、高温の熱が外部へ漏れず効率よく長時間エアコンの内部を高温状態に保つことが可能となり、カビの成長の抑制効果を増大できる。
【００８７】
なお、上記各実施例において、エアコン内部とはセパレート型の空気調和機では室内機の内部で、ビルトインタイプでは部屋の天井に設けた部分を言うものである。また、各実施例の室外送風機はモータのタップを切換えて回転速度を変化させたが、これに限定されるものではない。
【００８８】
【発明の効果】
上記説明から明らかなように、請求項1記載に係る発明によれば、空気調和機における室内機送風回路のカビの成長を抑制できるとともに、効果的な乾燥と室内の快適性を損なわないように乾燥運転を行うことができる。
【００８９】
請求項２記載に係る発明によれば、空気調和機における室内機送風回路のカビの成長を抑制できるとともに、冷房またはドライ運転中にいきなり暖房乾燥運転に切り替えると、高温高湿の空気が室内空間に放出され快適性が損なわれるが、一旦送風乾燥運転を行うことにより、室内の快適性も維持できる。
【００９０】
請求項３記載に係る発明によれば、乾燥運転時、冷房期間中のため暖房負荷が高く、凝縮圧力が高くなり圧縮機に対する負荷が増大するが、凝縮圧力を制御することで圧縮機の保護が可能となる。また、凝縮圧力をある一定の範囲内で制御することで、空気調和機の室内機送風回路の空間をある一定の高温度範囲で保つことが可能となり、カビの成長の抑制効果を増大できる。
【００９１】
請求項４記載に係る発明によれば、乾燥運転時、冷房期間中のため暖房負荷が高く、凝縮圧力が高くなり圧縮機に対する負荷が増大するが、凝縮圧力を制御することで圧縮機を保護できる。また、凝縮圧力をある一定の範囲内で制御することで、空気調和機における室内機送風回路の空間をある一定の高温度範囲で保つことが可能となり、カビの成長の抑制効果を増大できる。また、冷凍サイクルの高低圧をバイパスするので、圧縮機の圧縮比が小さくなり、圧縮機への負荷を軽減できる。
【００９２】
請求項５記載に係る発明によれば、乾燥運転時、高温の空気が室内に漏れず、室内の快適性が損なわれないようにできるとともに、空気調和機の室内機送風回路を外気と遮断することで、高温の熱が外部へ漏れず効率よく長く前記室内機送風回路を高温状態に保つことが可能となり、カビの成長の抑制効果を増大できる。また、冷房期間中のため暖房負荷が高く、凝縮圧力が高くなり圧縮機に対する負荷が増大するが、凝縮圧力を制御することで圧縮機を保護することができる。
【００９３】
請求項６記載に係る発明によれば、乾燥運転時、室内への高温空気の吹出しが少なくでき、室内の快適性を損なわないようにできるとともに、一方である程度、室内側熱交換器との熱交換が行われ、凝縮圧力の上昇速度が緩和され、長い時間の暖房乾燥運転が継続でき、かつ室外送風機の停止時、凝縮圧力が低下していくために空気調和機の室内機送風回路の温度も低下するが、空気調和機の室内機送風回路を外気と遮断することで、高温の熱が外部へ漏れず効率よく長く前記室内機送風回路を高温状態に保つことが可能となり、カビの成長の抑制効果を増大できる。
【図面の簡単な説明】
【図１】本発明の実施例１、２、４、５および実施例６における空気調和機の冷凍サイクルを示す図
【図２】同実施例１、２、４、５および実施例６における空気調和機の制御手段を示すブロック図
【図３】同実施例１の空気調和機における乾燥運転時の制御手段の流れを示すフローチャート
【図４】同実施例２の空気調和機における乾燥運転時の制御手段の流れを示すフローチャート
【図５】同実施例２の空気調和機における乾燥運転時の圧縮機、凝縮圧力、室外送風機の関係を示すタイムチャート
【図６】同実施例３における空気調和機の冷凍サイクルを示す図
【図７】同実施例３における空気調和機の制御手段を示すブロック図
【図８】同実施例３の空気調和機における乾燥運転時の制御手段の流れを示すフローチャート
【図９】同実施例４の空気調和機における乾燥運転時の制御手段の流れを示すフローチャート
【図１０】同実施例４の空気調和機における乾燥運転時の圧縮機、凝縮圧力、室内送風機、風向変更手段、室外送風機の関係を示すタイムチャート
【図１１】同実施例５の空気調和機における乾燥運転時の制御手段の流れを示すフローチャート
【図１２】同実施例５の空気調和機における乾燥運転時の圧縮機、凝縮圧力、室内送風機、風向変更手段、室外送風機の関係を示すタイムチャート
【図１３】同実施例６の空気調和機における乾燥運転時の制御手段の流れを示すフローチャート
【図１４】同実施例６の空気調和機における乾燥運転時の圧縮機、凝縮圧力、室内送風機、風向変更手段、室外送風機の関係を示すタイムチャート
【図１５】従来の空気調和機における圧縮機と室内ファンのタイムチャート
【図１６】従来の空気調和機における送風乾燥試験時の温度と湿度のグラフ
【図１７】従来の空気調和機における室内内部の温度と湿度のグラフ
【符号の説明】
１  圧縮機
２  室内側熱交換器
３  室内送風機
４  室外側熱交換器
５  室外送風機
６  絞り手段
７  ４方弁
９  運転モード設定手段
１０  風向変更手段
１２  １番目の凝縮圧力検知手段（凝縮圧力検知手段）
１３  ２番目の凝縮圧力検知手段（凝縮圧力検知手段）
１４  乾燥運転スイッチ
１５  運転モード記憶手段
１７  第１の凝縮圧力設定記憶手段（凝縮圧力設定記憶手段）
１８  第２の凝縮圧力設定記憶手段
１９  送風乾燥運転時間設定記憶手段
２０  暖房乾燥運転時間設定記憶手段
２３  判定手段
２７  電磁２方弁（２方弁）
Ａ、Ａ１  制御手段
【図１】
0003780973.tif 000002
【図２】
0003780973.tif 000003
【図３】
0003780973.tif 000004
【図４】
0003780973.tif 000005
【図５】
0003780973.tif 000006
【図６】
0003780973.tif 000007
【図７】
0003780973.tif 000008
【図８】
0003780973.tif 000009
【図９】
0003780973.tif 000010
【図１０】
0003780973.tif 000011
【図１１】
0003780973.tif 000012
【図１２】
0003780973.tif 000013
【図１３】
0003780973.tif 000014
【図１４】
0003780973.tif 000015
【図１５】
0003780973.tif 000016
【図１６】
0003780973.tif 000017
【図１７】
0003780973.tif 000018